(57)【特許請求の範囲】
【請求項１】
引出が配置されるキャビネット本体内に設けられ、前記引出を前記キャビネット本体内に収納する収納位置と前記キャビネット本体外に引き出す引出位置との間で移動可能に案内するガイドレールと、前記引出を前記収納位置に向けて引き込む引込手段と、該引込手段による前記引出の前記収納位置に向けての引き込みに抗力を加える緩衝装置と、を備えるキャビネットであって、
前記引出は、前記引出位置に向けて移動可能な第１リンク部材と、該第１リンク部材にかかる力を増力する増力手段と、該増力手段によって前記第１リンク部材の移動方向とは反対方向に移動可能な第２リンク部材と、を備え、前記キャビネット本体は、前記第２リンク部材の前記キャビネット本体の背面側への移動を阻止する阻止部材を備えていることを特徴とするキャビネット。
【請求項２】
前記増力手段は、複数の歯車によって構成されていることを特徴とする請求項１に記載のキャビネット。
【請求項３】
前記引出の正面側には、前記第１リンク部材に連結された前板が前後方向に揺動自在に下端部を前記引出に枢支されており、前記阻止部材は、前記前板が所定開度揺動することで前記第２リンク部材が該阻止部材を押圧する位置に設けられていることを特徴とする請求項１または２に記載のキャビネット。
【請求項４】
前記前板の上端部には、把手が取り付けられており、前記第１リンク部材は、前記把手よりも下方で前記前板に連結されていることを特徴とする請求項３に記載のキャビネット。
【発明の詳細な説明】
【技術分野】
【０００１】
本発明は、引出が配置されるキャビネット本体内に設けられ、引出をキャビネット本体内に収納する収納位置とキャビネット本体外に引き出す引出位置との間で移動可能に案内するガイドレールと、引出を収納位置に向けて引き込む引込手段と、引込手段による引出の収納位置に向けての引き込みに抗力を加える緩衝装置と、を備えるキャビネットに関する。
【背景技術】
【０００２】
従来のシステムキッチン（キャビネット）は、システムキッチン（キャビネット本体）内に取り付けられ、後端部が下方に向けて傾斜した傾斜部に形成されたガイドレールと、ガイドレールによってシステムキッチン内の収納位置とシステムキッチン外の引出位置との間を移動自在に設けられた引出と、システムキッチン内の後端部に設けられ、引出の後端部に永久磁石により取り付けられる緩衝装置と、を備えている。このようなシステムキッチンでは、使用者が引出を引出位置に向けて引き出すことで緩衝装置内のオイルダンパが永久磁石とともに引出位置に向けて引き出され、使用者が引出を傾斜部まで収納位置に向けて押し込むことで、緩衝装置が引出に抗力を加えて移動速度を低減させ、引出を収納位置に静かに配置させるようになっている（例えば、特許文献１参照）。
【先行技術文献】
【特許文献】
【０００３】
【特許文献１】特開２００８−２７８９８５号公報（第８頁、第５図）
【発明の概要】
【発明が解決しようとする課題】
【０００４】
しかしながら、特許文献１に記載のシステムキッチン（キャビネット）にあっては、使用者が引出しを使用位置（引出位置）に向けて引き出そうとすると、引き出しに伴い緩衝装置内のオイルダンパが引き出されることで抗力が生じるとともに、同時に、傾斜部が引出を使用位置に向けて引き込む力に抗する力が必要となるため、使用者が引出しを使用位置まで引き出すためには大きな力が必要であるという問題がある。
【０００５】
本発明は、このような問題点に着目してなされたもので、使用者に大きな力を必要とせずとも緩衝装置から生じる力に抗して引出を引き出すことができるキャビネットを提供することを目的とする。
【課題を解決するための手段】
【０００６】
前記課題を解決するために、本発明のキャビネットは、
引出が配置されるキャビネット本体内に設けられ、前記引出を前記キャビネット本体内に収納する収納位置と前記キャビネット本体外に引き出す引出位置との間で移動可能に案内するガイドレールと、前記引出を前記収納位置に向けて引き込む引込手段と、該引込手段による前記引出の前記収納位置に向けての引き込みに抗力を加える緩衝装置と、を備えるキャビネットであって、
前記引出は、前記引出位置に向けて移動可能な第１リンク部材と、該第１リンク部材にかかる力を増力する増力手段と、該増力手段によって前記第１リンク部材の移動方向とは反対方向に移動可能な第２リンク部材と、を備え、前記キャビネット本体は、前記第２リンク部材の前記キャビネット本体の背面側への移動を阻止する阻止部材を備えていることを特徴としている。
この特徴によれば、使用者が収納位置に収納されている引出に引出位置に向けて力を加えることで、使用者が引出に加えた力が第１リンク部材を介して増力手段に伝達されるとともに、増力手段によって増大した力によって第２リンク部材がキャビネット本体に備えられた阻止部材をキャビネット本体の背面側に向けて押圧し、この第２リンク部材が阻止部材を押圧する反力を利用して引出を引出位置に向けて引き出すことができるので、引込手段が引出を引出位置に向けて引き込む力や緩衝装置の抗力に対して引出を引出位置に向けて引き出す力が小さくとも引出を引き出すことができる。
また、キャビネット本体における阻止部材の設置位置を適宜調整することで、使用者が引出に引出位置に向けて力を加え始める地点から第２リンク部材が阻止部材をキャビネット本体の背面側に向けて押圧する地点までの距離を調整することができる。
【０００７】
本発明のキャビネットは、
前記増力手段は、複数の歯車によって構成されていることを特徴としている。
この特徴によれば、増力手段の機構を小さく纏めながら第２リンク部材に大きな力を伝達することができる。
【０００９】
本発明のキャビネットは、
前記引出の正面側には、前記第１リンク部材に連結された前板が前後方向に揺動自在に下端部を前記引出に枢支されており、前記阻止部材は、前記前板が所定開度揺動することで前記第２リンク部材が該阻止部材を押圧する位置に設けられていることを特徴としている。
この特徴によれば、前板をキャビネット本体の正面側に揺動させることで、前板の荷重を第１リンク部材の引出位置に向けて引き出す力として使用することができるので、使用者が引出を引き出す際にかける力をより小さくすることができる。
また、第２リンク部材が阻止部材に対して押圧を開始するまでは、引出を収納位置から引き出すことなく、引込手段が引出を引出位置に向けて引き込む力や緩衝装置からの抵抗を受けずに前板を正面側に揺動させることができるので、引出を収納位置に配置したまま、収納箱内の正面側に配置されている収納物を取り出すことができる。
【００１０】
本発明のキャビネットは、
前記前板の上端部には、把手が取り付けられており、前記第１リンク部材は、前記把手よりも下方で前記前板に連結されていることを特徴としている。
この特徴によれば、使用者が把手を把持して前板を正面側に揺動させる力が前板と第１リンク部材との連結部でテコの原理により増大されるので、使用者の引出を引き出す際にかける力を更に小さくすることができる。
【図面の簡単な説明】
【００１１】
【図１】実施例１における引出を示す斜視図である。
【図２】引出とガイドレールと緩衝装置とを示す側面図である。
【図３】引出の側板を示す一部拡大斜視図である。
【図４】引出の側板を示す横断平面図である。
【図５】収納位置に配置された引出の側板を示す縦断側面図である。
【図６】図５における引出の側板のＡ−Ａ断面図である。
【図７】当接部が阻止部材を押圧するまで前板が正面側に揺動された状態を示す縦断側面図である。
【図８】引出位置に引き出された引出を示す縦断側面図である。
【図９】（ａ）は、実施例２における引出が収納位置に配置されている状態を示す縦断側面図であり、（ｂ）は、引出が収納位置から引き出された状態を示す縦断側面図である。
【図１０】実施例３における収納位置に配置された引出の側板を示す縦断側面図である。
【発明を実施するための形態】
【００１２】
本発明に係るキャビネットを実施するための形態を実施例に基づいて以下に説明する。
【実施例１】
【００１３】
実施例１に係るキャビネットにつき、図１から図８を参照して説明する。以下、図２、図５、図７、図８の紙面左側と、図４の紙面下側及び図６の紙面手前側をキャビネットの正面側（前方側）として説明する。
【００１４】
図１の符号１は、本発明の適用された引出である。この引出１は、図１に示すように、正面側に開口するキャビネット本体２内に上下２段が収納されている。この引出１は、前方と上方とに開口して内部に皿や鍋等の収納物５を収納可能な略方形状の収納箱６を有しており、収納箱６の正面側には、上端部に使用者が把持するための把手７が取り付けられた前板８が配置されている。尚、本実施例における収納箱６は、前述のように前方と上方とに開口しているが、使用者が収納箱６内から収納物５を取り出すことができれば、収納箱６が開口する方向は上方のみでもよい。
【００１５】
また、それぞれの引出１の左右側方には側板２ａ，２ａが設けられている。これら側板２ａ，２ａは、キャビネット本体２の左右両側板を構成するほか、引出１同士の間に設けられる仕切板を構成している。
【００１６】
図２に示すように、キャビネット本体２における両側板２ａ，２ａの内側には、ガイドレール３が取り付けられており、これらガイドレール３は左右側方から収納箱６を支持している。尚、本実施例では、両ガイドレール３の構成は同一につき、一方のガイドレール３のみで説明する。尚、本実施例では、収納箱６が使用者によって前方側に向けて長さＬ１だけ引き出され、以降、キャビネット本体２の背面側を向く抗力を受けることなく前方側への引き出しが可能となる引出１の位置を引出位置として定義する（図８参照）。
【００１７】
引出１は、引出位置から使用者によりキャビネット本体２の背面側に向けて押し込まれることでキャビネット本体２内に収納配置されるようになっている。このとき、収納箱６の前板８がキャビネット本体２の側板２ａの前端部に当接して、引出１が閉鎖された状態の引出１の位置を収納位置と定義する。
【００１８】
また、ガイドレール３の後方であるキャビネット本体２の後端部には、引出１が引出位置から収納位置近傍まで移動されたときに、収納箱６に当接（緩衝）して引出１の移動速度を低減させる本発明における緩衝装置としてのオイルダンパ４が取り付けられている。このオイルダンパ４は、図２及び図８に示すように、キャビネット本体２に対して固定されるとともに、内部に粘性抵抗を発生させるオイルが充填された筒体４ａと、後部側がこの筒体４ａの前端部から筒体４ａ内に挿入されたロッド４ｂと、を備えている。ロッド４ｂは、後部側を筒体４ａ内に配置した状態で前後動可能となっており、このロッド４ｂの前後動に伴って筒体４ａ内のオイルとロッド４ｂの後部とで粘性抵抗が発生するようになっている。尚、ロッド４ｂの前端部には、強磁性の永久磁石４ｃが取り付けられている。
【００１９】
ガイドレール３について詳述する。図２に示すように、ガイドレール３の上部には、キャビネット本体２の内方側に突出する上板３ａが形成されるとともに、ガイドレール３の下部には、上板３ａと同様に、キャビネット本体２の内方側に突出する下板３ｂが形成されている。
【００２０】
ガイドレール３を構成する上板３ａ及び下板３ｂは、その前端部から後端部近傍にかけて水平な水平部３ｃに形成されている。また、ガイドレール３の後端部は、所定の傾斜角度θで後方に向かって下方に傾斜する、本発明における引込手段としての傾斜部３ｄに形成されている。更に、ガイドレール３の前端部には、後述する収納箱６の支持板６ｂを支持するためのガイドローラ３ｅが取り付けられている。
【００２１】
尚、本実施例においては、傾斜部３ｄの水平部３ｃに対する傾斜角度θを４度としている。更に尚、ガイドレール３の傾斜部３ｄの傾斜は、少なくとも下板３ｂに形成されていればよく、上板３ａは前端部から後端部にかけて水平に形成されていてもよい。
【００２２】
次に、引出１について詳述する。尚、本実施例の引出１は左右対称に構成されているため、本実施例では引出１の右方側のみを説明し、引出１の左方側については説明を省略する。
【００２３】
また、前板８の背面には、まな板や包丁等の収納箱６内の収納物５よりも使用頻度の高い収納物９を収納するための収納篭１０が取り付けられている。また、収納箱６の背面における下端部には、オイルダンパ４のロッド４ｂの前端部に設けられた永久磁石４ｃが磁着するための金属片１１が取り付けられている。
【００２４】
更に、収納箱６を構成する側板６ａには、図３、図４及び図５に示すように、前端部をカバー体１２によって被覆されおり、前板８はこのカバー体１２の前端下部に設けられた左右方向を向く枢軸１３によって下端部を枢支され、前後方向に揺動可能となっている。このため、前板８の収納箱６の前方側への揺動によって収納箱６の正面側への開放がなされるようになっている。
【００２５】
尚、図５に示すように、引出１が収納位置に収納配置されているときの前板８の重心Ｇは、前板８をカバー体１２に枢支する枢軸１３よりも収納箱６の背面側に配置されており、使用者が把手を把持していないときに前板８が収納箱６の前方側に向けて揺動してしまわないようになっている。
【００２６】
一方、図２及び図３に示すように、側板６ａの外側面には、前後方向に長い支持板６ｂが取り付けられている。この支持板６ｂは、ガイドレール３の上板３ａの上方でガイドローラ３ｅによって支持されている。更に、この側板６ａの外側面における支持板６ｂよりも後部側の下方には、ローラ６ｃが左右方向を向く枢軸によって回転自在に枢支されている。このローラ６ｃは、ガイドレール３の上板３ａと下板３ｂとの間で転動可能に載置されている。このため、引出１は、ガイドレール３によって引出位置と収納位置との間を滑らかに移動可能となって支持されている。
【００２７】
また、図４及び図５に示すように、側板６ａは、内部が中空部１４に形成されている。この中空部１４の上端部には、前後方向を向く略直方体形状のスライド板１５が前後方向に移動自在に配置されている。具体的には、中空部１４の上端部の左右側部には、左右方向を向く溝部６ｄが側板６ａの前後方向略全長に亘って形成されており、スライド板１５の上端部には、これら溝部６ｄ内に配置される摺接片１５ａが突設されている。
【００２８】
このため、スライド板１５は溝部６ｄ内で両摺接片１５ａ，１５ａによって吊持されている状態で、中空部１４内を前後方向に摺動する。尚、スライド板１５の下面には、前後方向略全長に亘ってラック部１５ｂが形成されている。
【００２９】
そして、スライド板１５の前端部には、棒状のステー１６の一端が左右方向を向く枢軸によって前後方向に揺動可能に枢支されている。このステー１６の他端は、側板６ａの正面に形成された貫通孔６ｅとカバー体１２に形成された貫通孔１２ａとを介して前板８の背面の右端部に左右方向を向く枢軸によって揺動可能に枢着されている。つまり、スライド板１５とステー１６とで本発明における第１リンク部材を構成しており、スライド板１５は前板８の前後方向への揺動に応じて前後方向に中空部１４内を移動可能となっている。
【００３０】
尚、スライド板１５は、摺接片１５ａが溝部６ｄの前端部に当接することでそれ以上の収納箱６の正面側への移動が規制されているため、スライド板１５にステー１６を介して接続されている前板８も収納箱６の前方側への揺動が規制されている。
【００３１】
図４、図５及び図６に示すように、中空部１４内のスライド板１５下方には、ラック部１５ｂと噛み合うピニオンギア（歯車）１７ａが左右方向を向く枢軸によって枢支されている。このピニオンギア１７ａの同一の枢軸上には、ピニオンギア１７ａよりも小径に形成されたピニオンギア１７ｂが枢支されている。
【００３２】
更に、ピニオンギア１７ｂの下方には、上面にピニオンギア１７ｂに噛み合うラック部１８ａが形成された前後方向を向く直方体形状の本発明における第２リンク部材としてのスライド板１８が、スライド板１５の移動に従い中空部１４内を前後方向に移動自在に配置されている。このため、スライド板１５にかかる力は、ピニオンギア１７ａ、１７ｂによって増力されるようになっている。つまり、これらピニオンギア１７ａ，１７ｂによって本発明における増力手段が構成されている。
【００３３】
更に、ピニオンギア１７ｂの下方には、上面にピニオンギア１７ｂに噛み合うラック部１８ａが形成された前後方向を向く直方体形状のスライド板１８が、スライド板１５の移動に従い中空部１４内を前後方向に移動自在に配置されており、ピニオンギア１７ａ，１７ｂで増力された力が伝達されるようになっている。このスライド板１８によって本発明における第２リンク部材が構成されている。
【００３４】
図５、図６及び図７に示すように、側板６ａの外側面には、中空部１４に貫通する貫通長孔６ｆが側板６ａの前後方向を向いて形成されており、この貫通長孔６ｆ内には、スライド板１８の右側部が挿入配置されている。また、貫通長孔６ｆの上下には、貫通長孔６ｆの前後方向略全長に亘って係止溝部６ｇ，６ｇが形成されており、スライド板１８の右側部の上下には、これら係止溝部６ｇ，６ｇ内に挿入配置される係止片１８ｂが突設されている。このため、スライド板１８は貫通長孔６ｆ内で左右方向に脱落することなく前後方向に摺動するようになっている。
【００３５】
キャビネット本体２の側板２ａの内側面には、平面視Ｌ字形状の阻止部材１９が取り付けられており、スライド板１８の前端部には、収納箱６の外側方に向けて当接部１８ｃが貫通長孔６ｆを介して突設されている。これら阻止部材１９と当接部１８ｃとは、引出１がキャビネット本体２内の収納位置に収納配置されているときには前後方向に離間して配置されている。
【００３６】
次に、このように構成された引出１の収納位置から引出位置への引き出しに伴う動作について説明する。先ず、図５に示すように、引出１が収納位置に収納配置されている状態から、使用者が把手７を把持して前板８を収納箱６の前方側に揺動させる。このとき、前板８の収納箱６の前方側への揺動に応じてスライド板１５の収納箱６の正面側への移動がなされる（図７参照）。
【００３７】
加えて、前板８の重心Ｇが前板８をカバー体１２に枢支している枢軸１３よりも収納箱６の前方側まで移動されると、使用者が把手にかける力に加えて、前板８の荷重自体を前板８の収納箱６の前方側に揺動させる力として使用することができる。
【００３８】
このスライド板１５の収納箱６の正面側への移動によって、ラック部１５ｂがピニオンギア１７ａを図５における側面視反時計回りに回転させる。このピニオンギア１７ａの図５における側面視反時計回りの回転は、ピニオンギア１７ａ，１７ｂによって増力され、ラック部１８ａに伝達されるようになっている。このため、スライド板１８は、ピニオンギア１７ａ，１７ｂの図５における側面視反時計回の回転によって中空部１４内をキャビネット本体２の背面側に向けて摺動する。
【００３９】
図７に示すように、前板８が使用者によって収納箱６の前方側に所定開度揺動されることで、当接部１８ｃが阻止部材１９に正面側から当接する。尚、阻止部材１９の側板２ａの内側面における取り付け位置は、スライド板１８が中空部１４内を摺動することで当接部１８ｃに当接可能であれば、引出１に収納されている収納物５や引出１の使用用途に応じて適宜前後方向に調整可能である。特に、使用者が把手７を把持して前板８を収納箱６の前方側に揺動させる以前から当接部１８ｃに阻止部材１９を当接させておくことで、使用者が前板８を収納箱６の前方側に向けて揺動させると同時に引出１を引出位置に向けて引き出すことができる。
【００４０】
このときの前板８の上端部は、使用者の手を前板８の背面側に上方から挿通させる程度の前後幅に開放されている。このため、本実施例の引出１は、引出１を収納位置に収納配置した状態のまま、前板８を収納箱６の前方側に所定開度揺動させるのみで収納篭１０内の収納物９を取り出すことができるようになっている。
【００４１】
そして、使用者は、この当接部１８ｃが阻止部材１９に正面側から当接している状態から更に前板８を収納箱６の前方側に向けて揺動させることで、ピニオンギア１７ａ、１７ｂを介してスライド板１８に対してキャビネット本体２の背面側に向けて力を加える。スライド板１８は、このキャビネット本体２の背面側に向けての力によって阻止部材１９を当接部１８ｃによってキャビネット本体２の背面側に向けて押圧し、収納箱６に正面側に向けての反力を生じさせる。
【００４２】
このため、図８に示すように、収納箱６はこの反力によってキャビネット本体２内から押圧されることで、キャビネット本体２内の収納位置から引出位置に向けて引き出され、スライド板１８は当接部１８ｃが阻止部材１９を押圧する位置を維持した状態で貫通長孔６ｆ内を相対移動する。
【００４３】
このとき、収納箱６には、ローラ６ｃが傾斜部３ｄ内の前上方に転動する抵抗力と、オイルダンパ４のロッド４ｂが永久磁石４ｃの金属片１１への磁着によって収納箱６とともに引出位置に向けて引き出される際に筒体４ａ内で生じる粘性抵抗力と、ロッド４ｂがキャビネット本体２の正面側に向けて所定量引き出されたことにより抗力として作用する永久磁石４ｃと金属片１１との間に生じている磁力と、を合わせたキャビネット本体２の背面側を向く抗力が生じるが、使用者が把手７に掛けた力がピニオンギア１７ａ，１７ｂで増強されているため、使用者が前板８を揺動させる際にこれらローラ６ｃの抵抗とオイルダンパ４での粘性抵抗を感知することはない。
【００４４】
尚、このピニオンギア１７ｃで増強された力によって永久磁石４ｃと金属片１１との磁着が解除されると、ロッド４ｂのキャビネット本体２の正面側への引き出しが停止され、ロッド４ｂの前端部は、キャビネット本体２の正面側への引き出しを停止した位置で待機する。
【００４５】
そして、スライド板１５が溝部６ｄの前端部に当接することによって前板８の収納箱６の前方側への揺動が終了し、引出１は収納箱６がキャビネット本体２内から前方に距離Ｌ１だけ引き出された引出位置に配置される。
【００４６】
尚、前板８の収納箱６の前方側への揺動が終了した後は、引出１を引出位置から更に使用者が把手７を把持して引き出すことによって、前板８の揺動を維持したまま引出１を全開量引き出すことができる。
【００４７】
更に尚、引出１を引出位置から収納位置に収納配置させる場合は、使用者が前板８を収納箱６の背面側に向けて押し込むことで、前板８を、前板８の重心Ｇが前板８をカバー体１２に枢支している枢軸１３よりも収納箱６の背面側に配置されるまでキャビネット本体２の背面側に向けて揺動させるとともに、ローラ６ｃがガイドレール３の傾斜部３ｄ内を転動するまで引出１をガイドレール３に沿って案内させる。
【００４８】
ローラ６ｃがガイドレール３の傾斜部３ｄ内を転動するまで引出１を押し込んだ後は、ローラ６ｃが傾斜部３ｄを後下方に向って下っていくことで引出１が収納位置に向かって引き込まれ、金属片１１と永久磁石４ｃとが再び磁力により磁着される。このため、引出１は、傾斜部３ｄ内をローラ６ｃが下ることで自動的に収納位置に向けて移動を開始するとともに、オイルダンパ４の筒体４ａ内にロッド４ｂが挿入されることで生じる粘性抵抗によって引出１の収納位置に向けての加速が抑えられ、最終的に引出１を静かに収納位置に収納配置することができる。
【００４９】
以上、本実施例におけるキャビネットにあっては、引出１は、引出位置に向けて移動可能なスライド板１５及びステー１６と、スライド板１５及びステー１６にかかる力を増力する増力手段と、増力手段によってスライド板１５及びステー１６の移動方向とは反対方向に移動可能なスライド板１８と、を備え、キャビネット本体２は、スライド板１８のキャビネット本体２の背面側への移動を阻止する阻止部材１９を備えているので、使用者が収納位置に収納されている引出１に引出位置に向けて力を加えることで、使用者が引出１に加えた力がスライド板１５及びステー１６を介して増力手段に伝達されるとともに、増力手段によって増大した力によってスライド板１８がキャビネット本体２に備えられた阻止部材１９をキャビネット本体２の背面側に向けて押圧し、このスライド板１８が阻止部材１９を押圧する反力を利用して引出１を引出位置に向けて引き出すことができるので、傾斜部３ｄが引出１を引出位置に向けて引き込む力や緩衝装置４の抗力に対して引出１を引出位置に向けて引き出す力が小さくとも引出１を引き出すことができる。また、キャビネット本体２における阻止部材１９の設置位置を適宜調整することで、使用者が引出１に引出位置に向けて力を加え始める地点からスライド板１８が阻止部材１９をキャビネット本体２の背面側に向けて押圧する地点までの距離を調整することができる。
【００５０】
また、増力手段は、複数のピニオンギア１７ａ，１７ｂによって構成されているので、増力手段の機構を小さく纏めながらスライド板１８に大きな力を伝達することができる。
【００５１】
また、収納箱６の正面側には、スライド板１５及びステー１６に連結された前板８が前後方向に揺動自在に下端部を収納箱６に枢支されており、阻止部材１９は、前板８が所定開度揺動することでスライド板１８が阻止部材１９を押圧する位置に設けられているので、前板８をキャビネット本体２の正面側に揺動させることで、前板８の荷重をスライド板１５及びステー１６の引出位置に向けて引き出す力として使用することができるので、使用者が引出１を引き出す際にかける力をより小さくすることができる。また、スライド板１８が阻止部材１９に対して押圧を開始するまでは、引出１を収納位置から引き出すことなく、傾斜部３ｄが引出１を引出位置に向けて引き込む力や傾斜部３ｄやオイルダンパ４からの抵抗を受けずに前板８を正面側に揺動させることができるので、引出１を収納位置に配置したまま、収納箱６内の収納物９を取り出すことができる。
【００５２】
また、前板８の上端部には、把手７が取り付けられており、スライド板１５及びステー１６は、把手７よりも下方で前板８に連結されているので、使用者が把手７を把持して前板８を正面側に揺動させる力が前板８とステー１６との連結部でテコの原理により増大されるので、使用者の引出１を引き出す際にかける力を更に小さくすることができる。
【実施例２】
【００５３】
次に、実施例２に係るキャビネットにつき、図９を参照して説明する。尚、前記実施例と同一構成で重複する構成を省略する。以下、図９（ａ）及び図９（ｂ）の紙面左側をキャビネットの正面側（前方側）として説明する。
【００５４】
図９（ａ）及び図９（ｂ）に示すように、本実施例における増力手段は、一端が前板８の背面の右端部に左右方向を向く枢軸によって揺動可能に枢支されている本発明における第１リンク部材を構成する第１アーム２０と、一端が第１アーム２０の他端に左右方向を向く枢軸２１によって揺動可能に枢支され、中間部よりも他端側で左右方向を向く枢軸２３によって側板６ａに前後方向に揺動自在に枢支される本発明における第２リンク部材を構成する第２アーム２２と、で構成されており、第２アーム２２の他端部には、収納箱６の外側方に向けて貫通長孔６ｆを介して当接ピン２４が突設されている。また、阻止部材１９は、引出１がキャビネット本体２内の収納位置に収納配置されているときから、当接ピン２４に当接するように配置されている。
【００５５】
貫通長孔６ｆは、当接ピン２４が、前板８が収納箱６の前方側に揺動されることによって円弧軌道を描いて前後方向に移動するため、前板８の揺動時に当接ピン２４に当接しないよう、上下幅寸法が実施例１よりも上下方向に長寸に形成されている。
【００５６】
更に、第２アーム２２における第１アーム２０が枢支される一端側には、第２アーム２２の長手方向に沿って複数の枢支孔２２ａが形成されている。これら枢支孔２２ａには、第１アーム２０と第２アーム２２とを枢支するための枢軸２１を挿通可能となっている。このため、第２アーム２２における枢軸２１から枢軸２３までの距離Ｒ１は、枢軸２１をいずれかの枢支孔２２ａに挿通させることによって、枢軸２３から当接ピン２４までの距離Ｒ２よりも長寸を維持する範囲で変更することができるようになっている。
【００５７】
このように構成された引出１を収納位置から引出位置に向けて引き出すには、図９（ａ）及び図９（ｂ）に示すように、まず、使用者が把手７を把持することで前板８を収納箱６の前方側に揺動させる。この前板８の収納箱６の前方側への揺動によって、第１アーム２０の他端が第２アーム２２の一端側を枢軸２３を揺動中心として収納箱６の前方側に揺動させようとし、第２アーム２２の他端側は、当接ピン２４を阻止部材１９に当接させながら収納箱２の背面側に揺動しようとする。
【００５８】
このとき、第２アーム２２における枢軸２１から枢軸２３までの距離Ｒ１は、枢軸２３から当接ピン２４までの距離Ｒ２よりも長寸となっているので、当接ピン２４は、テコの原理により使用者が前板８を収納箱６の前方側に揺動する力よりも大きな力で阻止部材１９を背面側に向けて押圧する。このため、引出１は、オイルダンパ４からの粘性抵抗に抗して、当接ピン２４が阻止部材１９から受ける引出１の正面側を向く反力によってキャビネット本体２の正面側に距離Ｌ１だけ引き出される。
【００５９】
尚、本実施例では第２アーム２２における枢軸２１の位置を変更することによって当接ピン２４が阻止部材１９を押圧する力を調整したが、第２アーム２２における枢軸２１から枢軸２３までの距離Ｒ１が枢軸２３から当接ピン２４までの距離Ｒ２よりも長寸を維持する範囲で、第２アーム２２における枢軸２３の位置を当接ピン２４と枢軸２１との間で適宜変更し、当接ピン２４が阻止部材１９を押圧する力を調整するようにしてもよい。
【００６０】
以上、本実施例におけるキャビネットにあっては、第１アーム２０及び第２アーム２２は、第２アーム２２にかける力を変更可能であるので、使用者がスライド板１５及びステー１６を移動させる距離を変化させることなく、キャビネットの設置環境に応じて引出１の収納位置から引出位置に向けての引き出し距離を適宜変更することができる。
【実施例３】
【００６１】
次に、実施例３に係るキャビネットにつき、図１０を参照して説明する。尚、前記実施例と同一構成で重複する構成を省略する。以下、図１０の紙面左側をキャビネットの正面側（前方側）として説明する。
【００６２】
図１０に示すように、本実施例における増力手段は、側板６ａの中空部１４内における後部側で左右方向を向く枢軸によって枢支されているプーリ２５と、このプーリ２５と同一の枢軸上で枢支され、プーリ２５よりも小径に形成されたプーリ２６と、で構成されている。
【００６３】
また、本実施例におけるスライド板１５’の後端部とプーリ２５とは、プーリ２５の周面に巻回されているベルト体２７を介して接続されている。更に、スライド板１８の前端部とプーリ２６とは、ベルト体２８の周面に巻回されているベルト体２８を介して接続されている。
【００６４】
尚、プーリ２５，２６と側板６ａとの間には、図示しないコイルバネ等の付勢手段が設けられており、プーリ２５，２６はこの付勢手段によって図１０における時計周りに向けて付勢されている。更に尚、スライド板１８と側板６ａとの間には、図示しないコイルバネ等の付勢手段が設けられており、スライド板１８は、この付勢手段によって収納箱６の正面側に向けて付勢されている。
【００６５】
使用者が把手７を把持して前板８を収納箱６の前方側に揺動させると、スライド板１５’がベルト体２７を収納箱６の正面側に向けて引張りながら移動し、これら付勢手段による付勢方向に反してプーリ２５，２６が図１０における反時計周りに回転する。同時に、プーリ２６が図１０における反時計回りに回転することで、プーリ２５にかかる力が増力されるとともに、プーリ２６がベルト体２８をキャビネット本体２の背面側に向けて巻き取り、スライド板１８をキャビネット本体２の背面側に向けて移動させる。これら一連の動作によって当接部１８ｃが阻止部材１９に当接し、引出１が引出位置に向けて引き出される。
【００６６】
引出１が引出位置に向けて引き出された後は、使用者が把手７から手を離す事で、プーリ２５，２６と側板６ａとの間に設けられた図示しない付勢手段の付勢力によってプーリ２５がベルト体２７を巻き取ることで前板８が収納箱６の正面側を閉塞するまで収納箱６の背面側に向けて揺動される。同時に、スライド板１８と側板６ａとの間に設けられた図示しない付勢手段の付勢力によってスライド板１８がプーリ２６からベルト体２８を収納箱６の正面側に向けて引張りながら移動する。
【００６７】
尚、引出１の配置された引出位置自体は保持されるため、引出１を収納位置に移動させるには、使用者が引出１を収納位置に向けて移動させるのみでよい。
【００６８】
以上、本発明の実施例を図面により説明してきたが、具体的な構成はこれら実施例に限られるものではなく、本発明の要旨を逸脱しない範囲における変更や追加があっても本発明に含まれる。
【００６９】
例えば、前記実施例では、前板８の下端部をカバー体１２の前端下部に設けられた左右方向を向く枢軸によって枢支することで前板８を前後方向に揺動可能とし、前板８の収納箱６の前方側への揺動によって引出１を収納位置から引出位置に向けて引き出されるようにしたが、前板８を収納箱６と一体に形成するとともに、ステー１６の一端を前板８の前方側に露出させ、使用者が直接ステー１６を収納箱６の前方側に引き出すことで、引出１が収納位置から引出位置に向けて引き出されるようにしてもよい。
【００７０】
また、前記実施例では、緩衝装置としてオイルダンパ４を用いたが、緩衝装置はこれに限定されるものではなく、ガスダンパや粘弾性ダンパやバネ等を用いたダンパを使用してもよく、更にロータリダンパのように回転することで緩衝力を発生するダンパであってもよい。
【００７１】
また、前記実施例では、ガイドレール３の後端部に傾斜部３ｄを形成し、この傾斜部３ｄでローラ６ｃを後下方に向けて移動させることで引出１を収納位置に向けて引き込んだが、ガイドレール全体を水平部に形成するとともに、キャビネット本体２と引出１との間に引出１を収納位置に向けて付勢するコイルバネ等の付勢手段を設け、この付勢手段の付勢力によって引出１を引出位置側から収納位置に向けて引き込むようにしてもよい。
【００７２】
また、前記実施例１では、増力手段としてピニオンギア１７ａ，１７ｂを用い、前記実施例２では、増力手段として第１アーム２０及び第２アーム２２を用い、前記実施例３では、増力手段としてプーリ２５，２６を用いたが、増力手段の組合せとしては上記に限らず、例えば、ピニオンギア１７ａと第２アーム２２、ピニオンギア１７ａとプーリ２６、第１アーム２０とピニオンギア１７ｂ、第１アーム２０とプーリ２６、プーリ２５とピニオンギア１７ｂ、又はプーリ２５と第２アーム２２のように動作の異なる複数の部材を組み合わせて構成してもよい。
【符号の説明】
【００７３】
１                引出
２                キャビネット本体
３                ガイドレール
３ｄ              傾斜部（引込手段）
４                オイルダンパ（緩衝装置）
５                収納物
７                把手
８                前板
１５              スライド板（第１リンク部材）
１６              ステー（第１リンク部材）
１７ａ，１７ｂ    ピニオンギア（増力手段）
１８              スライド板（第２リンク部材）
１９              阻止部材
２０              第１アーム（増力手段，第１リンク部材）
２１              枢軸
２２              第２アーム（増力手段，第２リンク部材）
２２ａ            枢支孔
２３              枢軸
２４              当接ピン
２５，２６        プーリ（増力手段）
２７，２８        ベルト体
【図１】
0005590944.tif 000002
【図２】
0005590944.tif 000003
【図３】
0005590944.tif 000004
【図４】
0005590944.tif 000005
【図５】
0005590944.tif 000006
【図６】
0005590944.tif 000007
【図７】
0005590944.tif 000008
【図８】
0005590944.tif 000009
【図９】
0005590944.tif 000010
【図１０】
0005590944.tif 000011